(57)【要約】【課題】ポインティングデバイスのみを用いて紙情報に関連するウェブ情報を指定することができ、キーボードの使用に不慣れな人や強い拒否感を有する人に対しても表現力に優れたウェブ情報を参照させることができる紙情報とウェブ情報のリンクシステムを提供する。【解決手段】紙情報３とウェブ情報４を連結させるリンクシステムであって、連続的に配列される選択項２ａの中から選ばれる複数の選択項２ａを結合してなり各選択項２ａの間が区切られている情報ＩＤ２が、紙情報３の近辺に記載されるとともに、前記紙情報３と対応するウェブ情報４も同じ情報ＩＤ２で識別され、選択ページ５の中の選択項２ａをポインタで順次指定することにより情報ＩＤ２が指定され、これにより対応するウェブ情報４が表示されることを特徴とする紙情報とウェブ情報のリンクシステム１である。【選択図】図１
2010113501.tif 000002
【特許請求の範囲】
【請求項１】
紙情報とウェブ情報を連結させるリンクシステムであって、
連続的に配列される選択項の中から選ばれる複数の選択項を結合してなり、各選択項の間が区切られている情報ＩＤが、紙情報の近辺に記載されるとともに、
前記紙情報と対応するウェブ情報も同じ情報ＩＤで識別され、
上記選択項が連続的に配列された選択ページの中の選択項をポインタで順次指定することにより情報ＩＤが指定され、これにより対応するウェブ情報が表示されることを特徴とする紙情報とウェブ情報のリンクシステム。
【請求項２】
それぞれの選択項が文字、数字、単語又は記号により表現されることを特徴とする請求項１に記載の紙情報とウェブ情報のリンクシステム。
【請求項３】
選択ページが階層構造を有する複数のサブページからなるとともに、
上層のサブページの選択項とこれに対応する一階層下のサブページの間に順次リンクが張られ、
最下層のサブページの選択項とこれに対応するウェブ情報の間にリンクが張られていることを特徴とする請求項１又は２に記載の紙情報とウェブ情報のリンクシステム。
【請求項４】
同一階層内の異なるサブページごとに背景色と選択項色の組み合わせが異なるとともに、
紙情報側に記載される情報ＩＤのうち対応する選択項の背景色及び選択項色が、選択ページの背景色及び選択項色と同じであることを特徴とする請求項３に記載の紙情報とウェブ情報のリンクシステム。
【請求項５】
紙媒体に記載された情報ＩＤに基づいて選択ページ中の選択項がポインタで順次指定されることにより生成される文字列を記憶する記憶手段と、
該文字列及びウェブ情報のアドレスが記載されたアドレステーブルを有し、
この文字列を使って、対応するウェブ情報のアドレスがアドレステーブルから検索されて、これにより検索されたアドレスを使ってウェブ情報が表示されることを特徴とする請求項１に記載の紙情報とウェブ情報のリンクシステム。
【請求項６】
請求項１〜請求項５のいずれか１項に記載の紙情報とウェブ情報のリンクシステムを使用し、顧客が指定したウェブ情報に対応する情報ＩＤの割り当てに対して課金することを特徴とする紙情報とウェブ情報のリンクシステムの運用方法。
【請求項７】
請求項１〜請求項５のいずれか１項に記載の紙情報とウェブ情報のリンクシステムを使用し、選択ページの一部又は全部を顧客のウェブサイトに組み込むことに対して課金することを特徴とする紙情報とウェブ情報のリンクシステムの運用方法。
【請求項８】
請求項１〜請求項５のいずれか１項に記載の紙情報とウェブ情報のリンクシステムを使用し、選択ページの一部または全部が組み込まれたウェブサイトに顧客が希望する広告又はコンテンツを組み込むことに対して課金することを特徴とする紙情報とウェブ情報のリンクシステムの運用方法。
【請求項９】
請求項１〜請求項５のいずれか１項に記載の紙情報とウェブ情報のリンクシステムを使用し、紙媒体に情報ＩＤを印刷したり、映像通信媒体に情報ＩＤを映写したり、又は音声通信媒体で情報ＩＤを発声することに対して課金することを特徴とする紙情報とウェブ情報のリンクシステムの運用方法。
【発明の詳細な説明】
【技術分野】
【０００１】
本発明は、紙情報に対応して配信されたウェブ情報に正確且つ簡単にアクセスさせるためのリンクシステムに係り、特に、キーボードの操作に不慣れな人やキーボードに強い拒否感を有する人にも当該ウェブ情報を参照させることができる、紙情報とウェブ情報のリンクシステムに関する。
【背景技術】
【０００２】
近年、インターネットは量的にも質的にも急速な発展を遂げており、情報伝達、情報提供、情報収集の手段として広く用いられつつある。特に情報提供の手段としては、紙情報と異なり紙面の制約もなく、また、動画や音声等も提供できるので多彩な表現をすることができ、さらにアップロードも容易なので、膨大な量の情報が提供されている。しかしながら、ウェブ情報は誰にでもアップロードできるが故に間違いや虚偽の情報も多く、そのなかに正確な情報が埋もれてしまうため、一般に、その信頼性は低いといわざるを得ない。
【０００３】
この点、古来から情報発信のために広く用いられてきた紙媒体は、大量生産に手間がかかる故に出版段階で内容がある程度吟味されるとともに発信元も特定され、その結果、内容の信頼性が高まる。また、長年使用されることにより紙媒体に対する信頼性自体が高くなっており、同じ内容でも書籍や新聞などに記載されていれば、インターネットで公開された情報よりも信頼性は高くなる。
しかしながら、紙媒体の場合は表現方法が文字や図、写真等に限定されるばかりでなく、紙面の関係で説明が一部省略されることもあり、表現力に限界がある。
【０００４】
そこで、ウェブ情報の表現力を取り入れて紙情報の表現力不足を補うことが考えられている。そのなかで、最も一般的な方法はＵＲＬの記載であり、例えば広告などにその商品の詳細情報が記載されたウェブページのＵＲＬが記載されることも多い。
しかしながら、ＵＲＬはキーボードを用いてブラウザに入力する必要があるが、これを間違いなく入力するのは煩雑であり、そのウェブページの参照を断念する人が多い。また、ウェブページはトップページから階層状に構成されることが多く、ＵＲＬは下層に位置するページを示すものほど長くなるのが一般的であるが、このような長いＵＲＬを紙面に数多く記載しようとすると、このＵＲＬだけでかなりの場所を占め、紙面が見づらくなる。従って、通常の場合、紙面にはトップページのＵＲＬが記載されるだけであり、紙情報と対応するウェブ情報に直接アクセスさせることも困難で、ウェブ情報の表現力を有効に取り入れているとは言い難い。
【０００５】
また、ＵＲＬの代わりに検索キーワードを記載し、検索エンジンと呼ばれるシステムで検索させる方法もとられている。しかしながら、検索エンジンは情報の内容、正確さ、有用性などの判断力に乏しいため、必ずしも配信者が意図する情報が上位にリストされるとは限らない。特に、近年ではＳＥＯ（Ｓｅａｒｃｈ  Ｅｎｇｉｎｅ  Ｏｐｔｉｍｉｚａｔｉｏｎ）の技術が広く知られているので、この技術が優れているものほど検索リストの上位になりやすく、近似の順位にランクされた情報であってもその優劣や虚実が判らず混乱が生じやすいので、情報の配信者にとっても検索エンジンの利用者にとっても好ましくない。また、同じ検索キーワードを使って検索しても有害サイト等無関係なウェブサイトがリストアップされることがあり、これに誤ってアクセスしてしまう危険性もある。
【０００６】
更に、ＵＲＬと関連付けられた簡易型ネットワークアドレスを使用して入力の手間を軽減する方法も考案されている（特許文献１、２参照）。しかしながら、キーボードの使用に不慣れな人にとっては、簡易型ネットワークアドレスの入力ですら苦痛であるため、紙情報とウェブ情報を緊密に結びつけるものとは言い難い。
【０００７】
一方、キーボードを使用しないウェブ情報の指定手段としては、ＱＲコード、カラーコード、バーコード等が挙げられる。しかしながら、これらの読み取りと画面表示には専用の読取装置とプログラムが必要となり、一般的かつ汎用的方法とはいえない。また、携帯電話等の小型の情報通信機器ではＱＲコードを読み取る機能が一般化しつつあるが、表示画面が小さすぎ、ウェブ情報の多彩な表現力を有効に利用できるとは言い難い。
【特許文献１】特表２００１−５２２０７３号公報
【特許文献２】特開２００２−８２８５６号公報
【発明の開示】
【発明が解決しようとする課題】
【０００８】
そこで本発明者は、紙情報の発行者が意図するウェブ情報にキーボードを使用せずに容易にアクセスさせることができるシステムについて鋭意研究の結果、例えばマウスのようなポインティングデバイスのみで目的のウェブ情報を指定できるようにすれば、文字が読めさえすれば当該ウェブ情報に直接アクセスでき、真の意味で紙情報とウェブ情報を連結できる点に着目して本発明を完成した。
【課題を解決するための手段】
【０００９】
本発明の請求項１は、紙情報とウェブ情報を連結させるリンクシステムであって、連続的に配列される選択項の中から選ばれる複数の選択項を結合してなり、各選択項の間が区切られている情報ＩＤが、紙情報の近辺に記載されるとともに、前記紙情報と対応するウェブ情報も同じ情報ＩＤで識別され、上記選択項が連続的に配列された選択ページの中の選択項をポインタで順次指定することにより情報ＩＤが指定され、これにより対応するウェブ情報が表示されることを特徴とする紙情報とウェブ情報のリンクシステムを内容とする。
【００１０】
本発明の請求項２は、それぞれの選択項が文字、数字、単語又は記号により表現されることを特徴とする請求項１に記載の紙情報とウェブ情報のリンクシステムを内容とする。
【００１１】
本発明の請求項３は、選択ページが階層構造を有する複数のサブページからなるとともに、上層のサブページの選択項とこれに対応する一階層下のサブページの間に順次リンクが張られ、最下層のサブページの選択項とこれに対応するウェブ情報の間にリンクが張られていることを特徴とする請求項１又は２に記載の紙情報とウェブ情報のリンクシステムを内容とする。
【００１２】
本発明の請求項４は、同一階層内の異なるサブページごとに背景色と選択項色の組み合わせが異なるとともに、紙情報側に記載される情報ＩＤのうち対応する選択項の背景色及び選択項色が、選択ページの背景色及び選択項色と同じであることを特徴とする請求項３に記載の紙情報とウェブ情報のリンクシステムを内容とする。
【００１３】
本発明の請求項５は、紙媒体に記載された情報ＩＤに基づいて選択ページ中の選択項がポインタで順次指定されることにより生成される文字列を記憶する記憶手段と、該文字列及びウェブ情報のアドレスが記載されたアドレステーブルを有し、この文字列を使って、対応するウェブ情報のアドレスがアドレステーブルから検索されて、これにより検索されたアドレスを使ってウェブ情報が表示されることを特徴とする請求項１に記載の紙情報とウェブ情報のリンクシステムを内容とする。
【００１４】
本発明の請求項６は、請求項１〜請求項５のいずれか１項に記載の紙情報とウェブ情報のリンクシステムを使用し、顧客が指定したウェブ情報に対応する情報ＩＤの割り当てに対して課金することを特徴とする紙情報とウェブ情報のリンクシステムの運用方法を内容とする。
【００１５】
本発明の請求項７は、請求項１〜請求項５のいずれか１項に記載の紙情報とウェブ情報のリンクシステムを使用し、選択ページの一部又は全部を顧客のウェブサイトに組み込むことに対して課金することを特徴とする紙情報とウェブ情報のリンクシステムの運用方法を内容とする。
【００１６】
本発明の請求項８は、請求項１〜請求項５のいずれか１項に記載の紙情報とウェブ情報のリンクシステムを使用し、選択ページの一部または全部が組み込まれたウェブサイトに顧客が希望する広告又はコンテンツを組み込むことに対して課金することを特徴とする紙情報とウェブ情報のリンクシステムの運用方法を内容とする。
【００１７】
本発明の請求項９は、請求項１〜請求項５のいずれか１項に記載の紙情報とウェブ情報のリンクシステムを使用し、紙媒体に情報ＩＤを印刷したり、映像通信媒体に情報ＩＤを映写したり、又は音声通信媒体で情報ＩＤを発声することに対して課金することを特徴とする紙情報とウェブ情報のリンクシステムの運用方法を内容とする。
【発明の効果】
【００１８】
本発明による紙情報とウェブ情報のリンクシステムでは、情報ＩＤにより選択項の指定順序が特定されているため、マウス等のポインティングデバイスを操作し、情報ＩＤの記載に基づいて所定の選択項をこの選択項が連続的に配列された選択ページの中から数回指定するだけで、紙情報に対応するウェブ情報を指定して表示させることができる。このため、キーボードの扱いに不慣れな人や、キーボードに強い拒否感を持つ人でも紙情報の発行者が意図するウェブ情報に簡単かつ正確にアクセスすることができる。
また、信頼性が高い紙情報とウェブ情報が一対一で関連付けられているため、虚偽情報を含むウェブ情報にアクセスしてしまったり、無関係な有害サイトにアクセスするといった失敗を防ぐことができ、紙情報の信頼性をウェブ情報に波及させることができる。
さらに、この情報ＩＤはＵＲＬ等と比較して非常に短いので、例えば新聞やちらし広告等の紙面に数多く記載しても紙面を圧迫せず、紙面のデザインを保つことができる。
【００１９】
このようなリンクシステムは、階層構造を有する複数のサブページからなる選択ページを用いることにより容易に構築することができる。即ち、サブページに記載された選択項とこれに対応する一階層下のサブページの間に順次リンクを張り、最下層のサブページの選択項とこれに対応するウェブ情報の間にリンクを張れば、選択ページの選択項をポインタで順次選択し指定することにより順次下層のサブページが表示され、最終的に目的とするウェブ情報が表示される。
【００２０】
この場合、同一階層内の異なるサブページごとに背景色及び選択項色の組み合わせを異ならせるとともに、紙媒体に記載された情報ＩＤの該当する選択項の背景色及び選択項色も当該サブページのものと同一にすれば、正しい選択項を指定した場合には選択項の背景色及び選択項色が当該サブページのものと同一になり、間違えた選択項を選択した場合にはこれが異なるので、選択ミスに気が付きやすくなり、手早く訂正することができる。
【００２１】
情報ＩＤ及びウェブ情報のアドレスが記載されたアドレステーブルを用い、情報ＩＤに相当する文字列によりウェブ情報のアドレスを検索し、ウェブ情報を表示させることもできる。この場合、情報ＩＤに相当する文字列は選択ページ内に連続的に配列された選択項をポインタで順次選択、指定することにより生成されて記憶手段に記憶され、検索に利用される。
【００２２】
本発明の紙情報とウェブ情報を連結させるリンクシステムを運用することにより、例えば情報ＩＤの割り当て、顧客のウェブサイトへの選択ページの一部又は全部の組み込みや当該ウェブサイトへの広告掲載、情報ＩＤの紙媒体への印刷や映像通信媒体での映写、音声通信媒体での発声について課金することが可能であり、多大な収入を得ることができる。
【発明を実施するための最良の形態】
【００２３】
本発明の紙情報とウェブ情報のリンクシステム１は、その代表例を図１に概略的に示すとおり、紙媒体３ａに記録された紙情報３とコンテンツサーバ４ａに記録されたウェブ情報４を、ＡＰサーバ５ｂに記録された選択ページ５を用いて緊密に連結させるためのシステムである。
本発明においては、紙情報３の近辺に情報ＩＤ２が記載されているとともに、対応するウェブ情報４も同じ情報ＩＤ２で識別され、図２に示すように、選択ページ５内の選択項（図２では数字）をポインタで順次選択、指定することにより情報ＩＤが指定され、これにより対応するウェブ情報が表示される。なお、図２中、白抜き矢印はポインタを示す。
【００２４】
本発明における紙媒体３ａとは、新聞、雑誌、ちらし広告、本、名刺、商品ラベルやタグ等、情報伝達を目的として印刷された紙状物及びその束のことをいい、その材質は通常はセルロース繊維であるが、１枚づつの形状が紙のような平面薄膜状である限りその材質は問わない。
また、紙情報３とは上記紙媒体３ａに印刷された情報のことをいい、具体的には、記事、商品情報、物語のエピソード、担当者の氏名、商品名、製造元情報等が挙げられる。
【００２５】
また、本発明におけるウェブ情報４とは、インターネット上にアップロードされた情報であり、特に、上記紙情報３をより詳しく或いは動画や音声等を駆使してより判りやすく説明するために、この紙情報３の発行者により指定された情報を意味する。具体的には、紙情報３である新聞記事と同じ記事を扱うニュース映像、ちらし広告に掲載した商品に関するクリッカブルマップを利用した取り扱い方法の説明、物語の一場面を描写した映像や音声、名刺には掲載しきれない量の担当者の自己アピール、商品の製造風景や生産者の写真、トレーサビリティーを示す情報等が挙げられる。
これらのウェブ情報４は、インターネットにアップロードされる通常のコンテンツと同様、コンテンツサーバ４ａに記録される。
【００２６】
本発明においては、情報ＩＤ２を介して紙情報３とウェブ情報４をリンクさせる。本発明における情報ＩＤ２は、連続的に配列される選択項２ａの中から選ばれる複数の選択項２ａを連結してなる。また、これらの選択項２ａは情報ＩＤ全体の中で見分けることができるように、それぞれの間で区切られている。
選択項２ａとしては、例えば文字、数字、単語、記号等のように、他の選択項２ａと見分けられるものであれば特に限定されないが、文字、数字のように配列順序が周知であるものを用いるほうが、適切な選択項を探す手間を軽減することができる点で好ましい。無論、リンゴ、ミカン、バナナ等の単語や、◎、○、×等の記号を連続的に配列したものであっても使用できる。
区切り方法については特に限定されず、例えば、−（ハイフン、図２に記載した例ではこれが使用されている）、；（コロン）、：（セミコロン）、スペース等の区切り記号を各選択項２ａの間に挿入してもよいし、各選択項２ａを異なる色や大きさにしたり字体を変えたり、あるいは背景色を変えて区切ってもよい。
【００２７】
この情報ＩＤ２は紙情報３の近辺に記載されるとともに、ウェブ情報４も同じ情報ＩＤ２で識別される。即ち、このシステムの使用者は紙情報３の情報ＩＤ２をみて、この情報ＩＤ２を構成する選択項２ａを選択ページ５で順次選択、指定することによりウェブ情報４を表示させる。
なお、この情報ＩＤ２はＵＲＬなどと比べて非常に短くてすみ、コンテンツサーバ４ａ内のどこに配置されても長さがほとんど変化しないので、紙媒体３ａの随所に数多く配置しても紙面をほとんど圧迫しない。従って、紙媒体３ａに記載された各記事、各写真、各挿絵といった全ての紙情報３に情報ＩＤ２を付与することも可能である。
【００２８】
本発明における選択ページ５とは、選択項２ａが連続的に配列されたページであり、使用者端末３ｂ上で、例えばマウスのようなポインティングデバイスを用いて、選択ページ５上の選択項２ａを選択、指定するためのものである。図２に記載した例では、選択項２ａとして２桁の数字が採用されており、選択ページ５上に１０×１０の格子状に配列されている。なお、数字はその配列順序が周知であるため、使用者が選択すべき数字（選択項２ａ）を探しやすくなっている。
選択ページ５としては、図３に示したような、タブを用いて選択できる選択項２ａの数を増加させたものを用いてもよい。図３に示した選択ページ５は選択項２ａとして３桁の数字が採用されており、この選択項２ａが１０×１０の格子状に配列されたタブが１０個配置されているので、１０００個の選択項２ａの中から所定の選択項２ａを選択、指定できるようになっている。
なお、選択ページ５に配列される選択項２ａの形式は、所定の選択項２ａを択一的に選択できる形式であれば特に限定されず、選択されることにより後述の他のサブページ５ａにジャンプするハイパーリンクであってもよいし、ボタン形式、ラジオボタン形式であってもよい。
【００２９】
本発明において使用するポインティングデバイスとしては特に限定されず、マウス、トラックボール、タッチパッド等、一般に使用されているどのようなポインティングデバイスでも使用できる。
【００３０】
本発明においては、選択ページ５上の選択項２ａをポインティングデバイスで選択することにより、ウェブ情報４を選択するためのアクションが引き起こされる。具体的なアクションについては特に限定されず、選択ページ５上の選択項２ａを順次選択することにより最終的にウェブ情報４が表示できるものであれば、どのようなものでも採用できる。
そのような選択ページ５としては、例えば図４に示すような、階層構造を持つ複数のサブページ５ａからなるものが例示でき、より詳細には、第１層（最上層）に記載された選択項２ａと第２層のサブページ５ａの間にリンクが張られ、同様に第２層と第３層の間、第３層と第４層（最下層）の間にもリンクが張られ、第４層（最下層）のサブページ５ａに記載された選択項２ａとウェブ情報４の間にリンクが張られた選択ページ５が例示できる。このような選択ページによれば、情報ＩＤ２を構成する選択項２ａをサブページ５ａ上で順次選択することにより、下層のサブページ５ａにジャンプし、最終的に最下層のサブページ５ａから目的とするウェブ情報４にジャンプする。なお、例えば、最上層のサブページ５ａだけを著名なポータルサイトに貼り付け、第２層以下をＡＰサーバ５ｂに記憶させるようにしてもよい。
【００３１】
このような階層構造を有する選択ページ５を使用する場合、同一層内の異なるサブページ５ａごとに背景色及び選択項色の組み合わせを変えるとともに、紙情報３側に記載される情報ＩＤの対応する選択項の背景色及び選択項色をサブページ５ａのものと同じにすれば、選択項２ａの選択ミスを軽減することができる。詳述すると、例えば図５に示したように情報ＩＤが０１−２３−４５−６７であったとすると、それぞれの選択項２ａの背景色及び選択項色はそれぞれ異なるが、第１層〜第３層で正しい選択項２ａである（０１）（２３）（４５）を順に選択したとすれば、図５（ａ）に示したように、紙媒体に印刷された４つ目の選択項である（６７）の背景色及び選択項色は第４層の背景色及び選択項色と同じになる。しかしながら、図５（ｂ）で示したように、第３層で間違えた選択項２ａ（例えば４６）を選択したとすれば、サブページ５ａの背景色と選択項色が印刷された選択項２ａと異なるので、選択ミスを犯したことがすぐに判り、即座に選択をやり直すことができる。
なお、全てのサブページ５ａの背景色と選択項色の組み合わせを別のものにする必要はなく、例えば６〜１２種類程度の組み合わせを順に使用するようにしても良いが、選択ミスが起こりやすい選択項２ａについて異なる組み合わせを用いるようにしたほうが好ましい。例えば、図２に示したような１０×１０の格子状の選択ページ５で選択項２ａ（例えば４５）を指定する場合では、左側（４４）、右側（４６）、上側（３５）、下側（５５）、数字の入れ替わり（５４）との間で選択ミスが起こりやすいと考えられるので、これらの選択項からリンクされるサブページ５ａの背景色と選択項色を、（４５）からリンクされるサブページのものと異なるようにすれば好ましい。
【００３２】
選択ページ５の別の態様としては、情報ＩＤ２に対応する文字列を記憶する記憶手段と、該文字列及びウェブ情報４のアドレスが記載されたアドレステーブルを有するとともに、選択項が連続的に配列されているページが例示できる。なお、記憶手段に記憶される文字列はアドレステーブルからウェブ情報のアドレスを検索するためのものであり、紙情報３に記載された情報ＩＤ２に基づいて選択ページ５中の選択項２ａをポインタで順次指定することにより生成される。この検索用の文字列は情報ＩＤ２と一対一で対応する限り特に限定されないが、最も簡単には、情報ＩＤ２（例えば、０１−２３−４５−６７）から区切り記号を除いたもの（例えば、０１２３４５６７）が用いられる。情報ＩＤを構成する選択項として単語や記号が使用されるような場合には、単語の頭文字や記号と一対一で対応した数字等を区切り記号を用いずに連結したものも使用できる。また、情報ＩＤ２と同一の文字列を検索用の文字列として使用してもよい。
また、本発明でいうアドレスはウェブ情報４の所在を示すものであれば特に限定されず、ＩＰアドレス、ＵＲＬ等の中から必要に応じて選択される。
【００３３】
上記のような選択ページ５を用いてウェブ情報４を表示させる方法の例を図６に基づいて説明する。なお、図６中、変数Ｍは記憶手段として利用されている。
まず、選択ページ５を使用者端末３ｂに表示させると、これまでに入力した選択項の数を示す変数Ｎ（初期値：０）、入力される文字列を示す変数Ｍ（初期値：ｎｕｌｌ）、最終的に入力する選択項の数を示す定数Ｒが設定される。なお、定数Ｒは使用する情報ＩＤの書式によって異なり、例えば０１−２３−４５−６７のように情報ＩＤが４つの選択項からなる場合は４であり、０１２−３４５−６７８のように３つの選択項からなる場合は３である。
【００３４】
このような選択ページ５で情報ＩＤ２（例えば、０１−２３−４５−６７）の最初の選択項２ａ（例えば、０１）が選択されると（ＳＴＥＰ１）、変数Ｎに１が加算されてその値が１になるとともに、変数Ｍの末尾に最初の選択項２ａが加えられ、上記の例ではＭ＝０１になる（ＳＴＥＰ２）。次に、変数Ｎの値と定数Ｒ（本例ではＲ＝４）の値が比較され（ＳＴＥＰ３）、現時点ではＮ＝ＲでないのでＳＴＥＰ１に戻る。ＳＴＥＰ１及びＳＴＥＰ２がＲ回（本例では４回）繰り返されると、Ｎ＝Ｒになるとともに、Ｍに検索用の文字列（本例では、０１２３４５６７）が完成する。
そして、この文字列を使用してアドレステーブルからウェブ情報４のアドレスが検索され（ＳＴＥＰ４）、検索されたアドレスを利用してウェブ情報を表示させる（ＳＴＥＰ５）。
【００３５】
なお、情報ＩＤ２に相当する文字列を入力するためのツールバーやガジェット（頻繁に使用する機能に簡単にアクセスするための小さなプログラム）等を使用者端末３ｂにインストールし、アドレステーブルのみをＡＰサーバ５ｂに記憶させてもよい。
【００３６】
以上、本発明の紙情報とウェブ情報のリンクシステムについて記載したが、次にこのシステムを運用して収入を得る方法について説明する。
このシステムの管理者は紙情報を発行するとともにこれに対応するウェブ情報をアップロードする情報提供者を顧客とすることができる。即ち、図７に示したように、情報提供者の求めに応じて指定されたウェブ情報に対応する情報ＩＤを設定して割り当てるとともに、これに対して課金することができる。これにより情報提供者は割り当てられた情報ＩＤを紙情報の近辺に掲載できるようになり、インターネット利用者はこの情報ＩＤを元にこれに対応するウェブ情報を参照できる。
なお、図８に示したように、情報ＩＤの割り当て申請が協力者のウェブサイトを介して行われた場合は、情報提供者に情報ＩＤの割り当てについての課金をするとともに、その一部を仲介手数料として協力者に支払うこともできる。
【００３７】
また、このシステムの管理者は選択ページに集まるインターネット利用者に自社商品を紹介しようとする事業者や、このような事業者に広告掲載用スペースを提供する広告事業者を顧客とすることができる。即ち、図９に示したように、選択ページの一部又は全部を広告事業者のウェブサイトに組み込むとともに、選択ページの使用手数料を広告事業者に課金することもできる。これにより広告事業者はインターネット使用者を自社のウェブサイトに集めることができる。
さらに、図１０に示したように、上記の広告事業者のウェブサイトに広告又はコンテンツを組み込むとともに、これに対して課金することができる。なおこの場合、この広告事業者に広告掲載手数料を支払う。
また、本などの紙媒体に情報ＩＤを印刷したり、テレビ等の映像通信媒体に情報ＩＤを映写したり、又はラジオ等の音声通信媒体で情報ＩＤを発声することに対して課金することもできる。
【００３８】
以上、本発明の好ましい態様を実施例に基づいて説明したが、本発明はこれら実施例のみに限定されるものではなく、本発明の要旨から逸脱することなく種々のバリエーションが可能であることは云うまでもない。
【産業上の利用可能性】
【００３９】
叙上のとおり、本発明の紙情報とウェブ情報のリンクシステムによれば、キーボードの操作に不慣れな人や強い拒否感を持っている人にも、紙情報の発行者が意図するウェブ情報に簡単且つ確実にアクセスさせることができる。従って、紙情報とウェブ情報を密接に連結させ、紙情報の信頼性とウェブ情報の表現力を双方とも享受することができるシステム及びその運用方法として頗る有用である。
【図面の簡単な説明】
【００４０】
【図１】本発明に係る紙情報とウェブ情報のリンクシステムの概念図である。
【図２】紙媒体に記載された情報ＩＤに基づいてウェブ情報を指定する方法を示す説明図である。
【図３】選択ページの他の例を示す説明図である。
【図４】階層構造を有する選択ページを示す説明図である。
【図５】階層構造を備えた選択ページにおいて、同一層内のサブページの背景色と選択項色の組み合わせを異ならせた状態を示す説明図である。
【図６】選択ページで入力した選択項を用いてアドレスを検索する方式の紙情報とウェブ情報のリンクシステムにおける処理を示すフローチャートである。
【図７】情報ＩＤの申請、設定、割り当てと、利用者によるウェブ情報へのアクセス、及び情報ＩＤの割り当てに対する課金を示す説明図である。
【図８】協力者のウェブサイトを介した情報ＩＤの割り当てに対する課金及び仲介手数料の支払いを示す説明図である。
【図９】選択ページの一部又は全部を広告事業者のウェブサイトに埋め込むことに対する課金を示す説明図である。
【図１０】選択ページが埋め込まれたウェブサイトへの広告掲載に対する課金を示す説明図である。
【符号の説明】
【００４１】
１  紙情報とウェブ情報のリンクシステム
２  情報ＩＤ
２ａ  選択項
３  紙情報
３ａ  紙媒体
３ｂ  使用者端末
４  ウェブ情報
４ａ  コンテンツサーバ
５  選択ページ
５ａ  サブページ
５ｂ  ＡＰサーバ
【図１】
2010113501.tif 000003
【図２】
2010113501.tif 000004
【図３】
2010113501.tif 000005
【図４】
2010113501.tif 000006
【図５】
2010113501.tif 000007
【図６】
2010113501.tif 000008
【図７】
2010113501.tif 000009
【図８】
2010113501.tif 000010
【図９】
2010113501.tif 000011
【図１０】
2010113501.tif 000012